【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
ワイヤレス通信システムにおける複数の無線アクセス技術(RAT)での通信のために構成されるアクセスポイントを管理するための方法であって、
前記アクセスポイントにおいて、基地局からの信号の測定を行うステップであって、前記アクセスポイントがスモールセルのための通信カバレッジを提供し、前記基地局が前記スモールセルと重複するマクロセルのための通信カバレッジを提供する、ステップと、
前記アクセスポイントの1つまたは複数のプロセッサによって、測定結果に基づいて、第1のRATを使用する前記スモールセルに前記基地局によって提供される通信カバレッジのレベルを決定するステップと、
前記第1のRATを使用する前記スモールセルに前記基地局によって提供される通信カバレッジの前記レベルが通信カバレッジの閾値レベルを満たす、または超えるという判定に応答して、前記アクセスポイントの少なくとも第2のRATの送信出力を下げるステップであって、前記第2のRATは前記第1のRATと異なり、前記第2のRATは前記第1のRATよりも遅いダウンロード速度を提供する、ステップとを備える、方法。
【請求項２】
前記スモールセルに前記基地局によって提供される通信カバレッジの前記レベルが通信カバレッジの前記閾値レベルを下回ると判定したことに応答して、前記第1のRATのために第1の動作モードを選択するステップと、
前記スモールセルに前記基地局によって提供される通信カバレッジの前記レベルが通信カバレッジの前記閾値レベルを満たす、または超えると判定したことに応答して、前記第1のRATのために第2の動作モードを選択するステップとをさらに備える、請求項1に記載の方法。
【請求項３】
前記スモールセルに前記基地局によって提供される通信カバレッジの前記レベルが通信カバレッジの第2の閾値レベルを満たす、または超えるかどうかを判定するステップと、
前記スモールセルに前記基地局によって提供される通信カバレッジの前記レベルが通信カバレッジの前記第2の閾値レベルを下回ると判定したことに応答して、前記第1のRATのために第1の動作モードを再選択するステップと、
前記スモールセルに前記基地局によって提供される通信カバレッジの前記レベルが通信カバレッジの前記第2の閾値レベルを満たす、または超えると判定したことに応答して、前記第1のRATのために第2の動作モードを再選択するステップとをさらに備える、請求項2に記載の方法。
【請求項４】
少なくとも1つのユーザ機器(UE)から前記マクロセルの追加の測定結果を受信するステップと、
前記追加の測定結果に基づいて、前記第2のRATの前記送信出力を再較正するステップとをさらに備える、請求項1に記載の方法。
【請求項５】
測定を行うステップが、ネットワーク聴取(NL)を実行するステップ、UE報告を受信するステップ、X2を通じて前記測定結果を受信するステップ、または、運用管理および保守(OAM)から前記測定結果を受信するステップの少なくとも1つを備える、請求項1に記載の方法。
【請求項６】
前記第1のRATを使用する前記スモールセルに前記基地局によって提供される通信カバレッジの前記レベルに基づき、第2のRATに対する前記送信出力を決定するステップをさらに備える、請求項1に記載の方法。
【請求項７】
前記第2のRATが、1x、Universal Mobile Telecommunications System(UMTS)、またはGlobal System for Mobile Communications(GSM(登録商標))の1つであり、第1のRATがLong Term Evolution(LTE)である、請求項1に記載の方法。
【請求項８】
ワイヤレス通信システムにおける複数の無線アクセス技術(RAT)での通信のために構成される装置であって、
基地局からの信号の測定を行うための手段であって、アクセスポイントがスモールセルのための通信カバレッジを提供し、前記基地局が前記スモールセルと重複するマクロセルのための通信カバレッジを提供する、手段と、
測定結果に基づいて、第1のRATを使用する前記スモールセルに前記基地局によって提供される通信カバレッジのレベルを決定するための手段と、
前記第1のRATを使用する前記スモールセルに前記基地局によって提供される通信カバレッジの前記レベルが通信カバレッジの閾値レベルを満たす、または超えるという判定に応答して、前記アクセスポイントの少なくとも第2のRATの送信出力を下げるための手段であって、前記第2のRATは前記第1のRATと異なり、前記第2のRATは前記第1のRATよりも遅いダウンロード速度を提供する、手段とを備える、装置。
【請求項９】
前記スモールセルに前記基地局によって提供される通信カバレッジの前記レベルが通信カバレッジの前記閾値レベルを下回ると判定したことに応答して、前記第1のRATのために第1の動作モードを選択するための手段と、
前記スモールセルに前記基地局によって提供される通信カバレッジの前記レベルが通信カバレッジの前記閾値レベルを満たす、または超えると判定したことに応答して、前記第1のRATのために第2の動作モードを選択するための手段とをさらに備える、請求項8に記載の装置。
【請求項１０】
前記スモールセルに前記基地局によって提供される通信カバレッジの前記レベルが通信カバレッジの第2の閾値レベルを満たす、または超えるかどうかを判定するための手段と、
前記スモールセルに前記基地局によって提供される通信カバレッジの前記レベルが通信カバレッジの前記第2の閾値レベルを下回ると判定したことに応答して、前記第1のRATのために第1の動作モードを再選択するための手段と、
前記スモールセルに前記基地局によって提供される通信カバレッジの前記レベルが通信カバレッジの前記第2の閾値レベルを満たす、または超えると判定したことに応答して、前記第1のRATのために第2の動作モードを再選択するための手段とをさらに備える、請求項9に記載の装置。
【請求項１１】
少なくとも1つのUEから追加の測定結果を受信するための手段と、
前記追加の測定結果に基づいて、前記第2のRATの前記送信出力を再較正するための手段とをさらに備える、請求項8に記載の装置。
【請求項１２】
測定を行うための前記手段が、ネットワーク聴取(NL)を実行するための手段、UE報告を受信するための手段、X2を通じて前記測定結果を受信するための手段、または、運用管理および保守(OAM)から前記測定結果を受信するための手段の少なくとも1つを備える、請求項8に記載の装置。
【請求項１３】
前記第1のRATを使用する前記スモールセルに前記基地局によって提供される通信カバレッジの前記レベルに基づき、第2のRATに対する送信出力を決定するための手段をさらに備える、請求項8に記載の装置。
【請求項１４】
前記第2のRATが、1x、Universal Mobile Telecommunications System(UMTS)、またはGlobal System for Mobile Communications(GSM(登録商標))の1つであり、第1のRATがLong Term Evolution(LTE)である、請求項8に記載の装置。
【請求項１５】
ワイヤレス通信システムにおける複数の無線アクセス技術(RAT)での通信のために構成される装置であって、
基地局からの信号の測定を行うために構成される少なくとも1つの送受信機であって、アクセスポイントがスモールセルのための通信カバレッジを提供し、前記基地局が、前記スモールセルと重複するマクロセルのための通信カバレッジを提供する、送受信機と、
前記アクセスポイントの1つまたは複数のプロセッサによって、測定結果に基づいて、第1のRATを使用する前記スモールセルに前記基地局によって提供される通信カバレッジのレベルを決定することと、
前記第1のRATを使用する前記スモールセルに前記基地局によって提供される通信カバレッジの前記レベルが通信カバレッジの閾値レベルを満たす、または超えるという判定に応答して、前記アクセスポイントの少なくとも第2のRATの送信出力を下げることであって、前記第2のRATは前記第1のRATと異なり、前記第2のRATは前記第1のRATよりも遅いダウンロード速度を提供する、ことと
を行うために構成される少なくとも1つのプロセッサと、
データを記憶するための、前記少なくとも1つのプロセッサに結合されたメモリとを備える、装置。
【請求項１６】
前記少なくとも1つのプロセッサがさらに、
前記スモールセルに前記基地局によって提供される通信カバレッジの前記レベルが通信カバレッジの前記閾値レベルを下回ると判定したことに応答して、前記第1のRATのために第1の動作モードを選択することと、
前記スモールセルに前記基地局によって提供される通信カバレッジの前記レベルが通信カバレッジの前記閾値レベルを満たす、または超えると判定したことに応答して、前記第1のRATのために第2の動作モードを選択することとを行うために構成される、請求項15に記載の装置。
【請求項１７】
前記少なくとも1つのプロセッサがさらに、
前記スモールセルに前記基地局によって提供される通信カバレッジの前記レベルが通信カバレッジの第2の閾値レベルを満たす、または超えるかどうかを判定することと、
前記スモールセルに前記基地局によって提供される通信カバレッジの前記レベルが通信カバレッジの前記第2の閾値レベルを下回ると判定したことに応答して、前記第1のRATのために第1の動作モードを再選択することと、
前記スモールセルに前記基地局によって提供される通信カバレッジの前記レベルが通信カバレッジの前記第2の閾値レベルを満たす、または超えると判定したことに応答して、前記第1のRATのために第2の動作モードを再選択することとを行うために構成される、請求項16に記載の装置。
【請求項１８】
前記少なくとも1つの送受信機がさらに、
少なくとも1つのUEから追加の測定結果を受信する
ために構成され、
前記少なくとも1つのプロセッサがさらに、
前記追加の測定結果に基づいて、前記第2のRATの前記送信出力を再較正する
ために構成される、請求項15に記載の装置。
【請求項１９】
測定を行うことが、ネットワーク聴取(NL)を実行すること、UE報告を受信すること、X2を通じて前記測定結果を受信すること、または、運用管理および保守(OAM)から前記測定結果を受信することの少なくとも1つを含む、請求項15に記載の装置。
【請求項２０】
前記少なくとも1つのプロセッサがさらに、
前記第1のRATを使用する前記スモールセルに前記基地局によって提供される通信カバレッジの前記レベルに基づき、第2のRATに対する前記送信出力を決定するために構成される、請求項15に記載の装置。
【請求項２１】
前記第2のRATが、1x、Universal Mobile Telecommunications System(UMTS)、またはGlobal System for Mobile Communications(GSM(登録商標))の1つであり、第1のRATがLong Term Evolution(LTE)である、請求項15に記載の装置。
【請求項２２】
データ処理デバイスに、
基地局からの信号の測定を行うことであって、アクセスポイントがスモールセルのための通信カバレッジを提供し、前記基地局が前記スモールセルと重複するマクロセルのための通信カバレッジを提供する、ことと、
測定結果に基づいて、第1のRATを使用する前記スモールセルに前記基地局によって提供される通信カバレッジのレベルを決定することと、
前記第1のRATを使用する前記スモールセルに前記基地局によって提供される通信カバレッジの前記レベルが通信カバレッジの閾値レベルを満たす、または超えるという判定に応答して、前記アクセスポイントの少なくとも第2のRATの送信出力を下げることであって、前記第2のRATは前記第1のRATと異なり、前記第2のRATは前記第1のRATよりも遅いダウンロード速度を提供する、ことと
を行わせる実行可能命令を記憶する、非一時的コンピュータ可読媒体。
【請求項２３】
前記コンピュータ可読媒体がさらに、前記データ処理デバイスに、
前記スモールセルに前記基地局によって提供される通信カバレッジの前記レベルが通信カバレッジの前記閾値レベルを下回ると判定したことに応答して、前記第1のRATのために第1の動作モードを選択させ、
前記スモールセルに前記基地局によって提供される通信カバレッジの前記レベルが通信カバレッジの前記閾値レベルを満たす、または超えると判定したことに応答して、前記第1のRATのために第2の動作モードを選択させる、請求項22に記載の非一時的コンピュータ可読媒体。
【請求項２４】
前記コンピュータ可読媒体がさらに、前記データ処理デバイスに、
前記スモールセルに前記基地局によって提供される通信カバレッジの前記レベルが通信カバレッジの第2の閾値レベルを満たす、または超えるかどうかを判定させ、
前記スモールセルに前記基地局によって提供される通信カバレッジの前記レベルが通信カバレッジの前記第2の閾値レベルを下回ると判定したことに応答して、前記第1のRATのために第1の動作モードを再選択させ、
前記スモールセルに前記基地局によって提供される通信カバレッジの前記レベルが通信カバレッジの前記第2の閾値レベルを満たす、または超えると判定したことに応答して、前記第1のRATのために第2の動作モードを再選択させる、請求項23に記載の非一時的コンピュータ可読媒体。
【請求項２５】
前記コンピュータ可読媒体がさらに、前記データ処理デバイスに、
少なくとも1つのUEから追加の測定結果を受信させ、
前記追加の測定結果に基づいて、前記第2のRATの前記送信出力を再較正させる、請求項22に記載の非一時的コンピュータ可読媒体。
【請求項２６】
測定を行うことが、ネットワーク聴取(NL)を実行すること、UE報告を受信すること、X2を通じて前記測定結果を受信すること、または、運用管理および保守(OAM)から前記測定結果を受信することの少なくとも1つを含む、請求項22に記載の非一時的コンピュータ可読媒体。
【請求項２７】
前記コンピュータ可読媒体がさらに、前記データ処理デバイスに、
前記第1のRATを使用する前記スモールセルに前記基地局によって提供される通信カバレッジの前記レベルに基づき、第2のRATに対する前記送信出力を決定するためにさらに構成される、請求項22に記載の非一時的コンピュータ可読媒体。
【請求項２８】
前記第2のRATが、1x、Universal Mobile Telecommunications System(UMTS)、またはGlobal System for Mobile Communications(GSM(登録商標))の1つであり、第1のRATがLong Term Evolution(LTE)である、請求項22に記載の非一時的コンピュータ可読媒体。